(57)【要約】【課題】  支払い相手、支払い内容によって支払方法を選択できる手段を提供し、キャッシングに際して多機能コピー機の操作画面から入力するパラメータ入力操作を自動化して、キャッシング操作の簡略化を実現する。【解決手段】ＩＣカード等の小型記憶媒体とのデータアクセス手段、読み取ったＵＲＬアドレスが示すＷｅｂサイトにアクセスして、そのサイトに格納されているデータをダウンロードする手段、そのデータをもとに、キャッシングの為の各種パラメータ入力操作を自動化する手段を備える。【選択図】  図１
2005280155.tif 000002
【特許請求の範囲】
【請求項１】
表示機能と通信機能と課金機能を備える電子機器であって、
ＩＣカードや携帯電話等の携帯型小型電子機器と接続してアクセスする手段と、
本電子機器の使用に際して発生する各種料金および支払方法を決定するための動作をシミュレートするプログラムを、ネット端末から利用する手段と、
上記シミュレーションの実行で得られたパラメータデータ群を、ネット上のユーザが指定する記憶領域上に格納する手段と、
上記パラメータデータ群を格納したネット上のアドレスをＩＣカード内の記憶領域に格納する手段と、
上記シミュレーションの実行で得られたパラメータデータ群をＩＣカード上に格納する手段と、
上記ＩＣカード上に格納されているネットアドレス情報から、上記ネット上のユーザが指定する記憶領域にアクセスして上記パラメータデータ群を呼び出して、キャッシングのための各種パラメータを設定する手段と、
上記ＩＣカード上の記憶領域に格納されているパラメータデータ群を呼び出して、キャッシングのためのパラメータを設定する手段と、
上記設定されたパラメータに従ってキャッシングを行う手段と、
を有することを特徴とする多機能複写機。
【発明の詳細な説明】
【技術分野】
【０００１】
本発明は、公共の施設等に設置された多機能複写機等の電子機器の使用料金の支払いに際して、その支払方法の選択／指定を能率的に行なえる機能を備えたシステム、および、その方法に関するものである。
【背景技術】
【０００２】
近年、複写機にネットワーク接続機能等を付加することによって複写機の多機能化が図られている（例えば、特許文献１参照）。そして、この多機能複写機を公共の施設等に設置して、各種の公的サービスや有料情報サービスを受けるシステムが普及することが予想されている。
【０００３】
この多機能複写機を利用したサービスに対する料金支払いに際しては、印刷料金以外に、情報料金や認証料や通信料金等様々な相手からの料金請求が発生し、支払方法もユーザそれぞれが選択すると共に、支払い相手支払い内容によっても支払方法を選択できるシステムが必要になってくることが考えられる。
【０００４】
そこで、本発明が解決しようとしている課題は、多機能コピー機のキャッシングシステムを改善することにより、各個人に適合したキャッシング手段を提供することと、キャッシングに際して多機能コピー機の操作画面から入力するパラメータ入力操作を自動化して、キャッシング操作の簡略化を実現することである。
【特許文献１】特開２００２−０７３４６２号公報
【発明の開示】
【発明が解決しようとする課題】
【０００５】
本発明は、上記課題を解決することを目的とするもので、ＩＣカードやメモリカード等の小型記憶媒体や携帯電話や電子手帳等の携帯電子機器を介してデータ書き込みおよび読み込みを行う機能と、オンラインキャッシングシュミレーション機能によって、これを実現しようとするものである。
【課題を解決するための手段】
【０００６】
本発明による多機能複写機は、上記の目的を達成するための手段として、以下の構成を備える。
１、ネットワークに接続してデータ通信する手段。
２、ＩＣカードやメモリカード等の小型記憶媒体や携帯電話や電子手帳等の携帯電子機器とのデータアクセス手段。
３、２で読み取ったＵＲＬアドレスが示すＷｅｂサイトにアクセスして、そのサイトに格納されているデータをダウンロードする手段。
４、２または３の手段でアクセスまたはダウンロードして得たデータをもとに、キャッシングの為の各種パラメータ入力操作を自動化する手段。
５、多機能コピー機の操作で、選択したキャッシング方法の情報を上記小型記憶媒体や携帯電子機器に格納したり、小型記憶媒体や携帯電子機器に格納されたＵＲＬアドレスが示す記憶領域に格納する手段。
６、多機能複写機を利用した際のキャッシング方法をシミュレーションするプログラムをネット端末から利用する手段。
７、６で選択、パラメータ入力した操作画面を、ネット上の指定したアドレスに格納する手段。
８、６で選択、パラメータ入力した操作画面を、上記小型記憶媒体や携帯電子機器に格納する手段。
【０００７】
なお、さらに詳細に説明すれば、本発明は下記の構成によって前記課題を解決できた。
【０００８】
（１）表示機能と通信機能と課金機能を備える電子機器であって、ＩＣカードや携帯電話等の携帯型小型電子機器と接続してアクセスする手段と、本電子機器の使用に際して発生する各種料金および支払方法を決定するための動作をシミュレートするプログラムを、ネット端末から利用する手段と、上記シミュレーションの実行で得られたパラメータデータ群を、ネット上のユーザが指定する記憶領域上に格納する手段と、上記パラメータデータ群を格納したネット上のアドレスをＩＣカード内の記憶領域に格納する手段と、上記シミュレーションの実行で得られたパラメータデータ群をＩＣカード上に格納する手段と、上記ＩＣカード上に格納されているネットアドレス情報から、上記ネット上のユーザが指定する記憶領域にアクセスして上記パラメータデータ群を呼び出して、キャッシングのための各種パラメータを設定する手段と、上記ＩＣカード上の記憶領域に格納されているパラメータデータ群を呼び出して、キャッシングのためのパラメータを設定する手段と、上記設定されたパラメータに従ってキャッシングを行う手段と、を有することを特徴とする多機能複写機。
【発明の効果】
【０００９】
本発明によれば、ＩＣカードとオンラインキャッシングシミュレータを利用することにより、公共の場所に設置された多機能複写機等の電子機器の使用料金支払い方法が、容易に、そして、能率的に利用できる効果が得られる。
【発明を実施するための最良の形態】
【００１０】
以下本発明を実施するための最良の形態を、実施例により詳しく説明する。
【実施例】
【００１１】
以下，本発明の実施例を図面を参照して詳細に説明する。
【００１２】
図１は、本発明の一実施例を示す印刷システムの構成を説明するブロック図であり、印刷システム２は入力制御部１００、インターフェイス１０１、スキャナ装置１１１、タッチパネルキーボード１１２、ＩＣカード読み取り装置１１３、印刷制御部３００、印刷装置本体３０７等で構成されており、課金機能およびネットワーク接続機能を備えた装置１がインターフェイス１０１を介して入力制御部１００と接続され、また、入力制御部１００と印刷制御部３００とは内部接続ケーブル２００を介して接続されている。
【００１３】
なお、装置１は、例えば、現金、電子マネー、クレジットカード、デビッドカード（キャッシュカード）等を受け付けキャッシングする機能を備えており、必要があればネットワーク接続してＮＴＴデータ通信株式会社（登録商標）のＣｒｅｄｉｔ  Ａｎｄ  Ｆｉｎａｎｃｅ  Ｉｎｆｏｒｍａｔｉｏｎ  Ｓｙｓｔｅｍ（ＣＡＦＩＳ）やその他のシステムを利用できるようになっている。
【００１４】
図において、１０２は通信制御コントローラで、インターフェイス１０１を介して転送される各種データの入力の受信、転送、格納等の制御を行う。
【００１５】
１０３はマイクロプロセッサ形態の中央処理装置（ＣＰＵ）であり、例えば図示しないクロックパルス発生回路、遅延回路、ゲート回路、その他の論理回路などを有する順序回路等から構成される。
【００１６】
１０４は、ＯＳ（オペレーティングシステム）や各種制御ソフト等が内蔵された読み出し専用メモリ（ＲＯＭ）で、ＣＰＵが各部に制御信号を供給する際に、制御信号をＣＰＵに順次知らせるためのマイクロ命令群が記憶されている。
【００１７】
１０５は読み書き可能なランダムアクセスメモリ（ＲＡＭ）であり、各装置の動作状況を記憶する領域を有するとともに、入力画像データを格納する記憶領域を有する。
【００１８】
１０６〜１０９は、それぞれスキャナコントローラ、タッチパネルキーボードコントローラ、ＩＣカードアクセス装置用コントローラ、プリンタコントローラであり、各装置の制御を行う。
【００１９】
１１０はバスラインで、ＣＰＵ１０３、ＲＯＭ１０４、ＲＡＭ１０５、および１０２、１０６〜１０９の各種コントローラを電気的に接続し、メモリアドレスやデータを転送する。
【００２０】
１０１は課金機能付きネットワーク接続装置１に接続して各種データを受信するための入力インターフェイスである。
【００２１】
３０１は、印刷制御部側のＣＰＵであり、上記１０３のＣＰＵと同様の構成と機能を備えている。
【００２２】
３０２は、読み書き可能なランダムアクセスメモリ（ＲＡＭ）であり、各装置の動作状況や後述のページメモリ上に展開された印刷ビットマップイメージデータを記憶する領域を有する。
【００２３】
３０３は、読み出し専用メモリ（ＲＯＭ）で、ＣＰＵが各部に印刷制御信号を供給する際に、その制御信号をＣＰＵに順次知らせるためのマイクロ命令群が記憶されている。
【００２４】
３０４は、入力バッファであり、上記プリンタコントローラから送信されてきた印刷データを格納する記憶装置である。
【００２５】
３０５は、印刷ビットマップイメージを格納するページメモリであり、作成された印刷ビットマップイメージはエンジンインターフェイス３０６を介して印刷部本体３０７に転送される。
【００２６】
図２１は、本発明を適用可能な出力装置を示す断面図であり、例えばカラーレーザビームプリンタ（カラーＬＢＰ）の場合を示す。
【００２７】
図において、７４０はＬＢＰ本体であり、外部に接続されているホストコンピュータから供給される印刷情報（文字コード等）を入力して記憶するとともに、それらの情報にしたがって対応する文字パターンやグラフィックパターン等を作成し、記録媒体である印刷用紙等に像を形成する。７００はＬＣＤやキーボードが配されている操作パネルで、図１上の９に対応する。７０１はプリンタの制御ユニット（図１の１〜７に示した印刷制御装置に対応する）で、ＬＢＰ本体７４０全体の制御およびホストコンピュータから供給される文字情報等を解析する。このプリンタ制御ユニット７０１は、主に文字情報に対応する文字パターンのビデオ信号に変換してレーザドライバ７０２に出力する。
【００２８】
レーザドライバ７０２は半導体レーザ７０３を駆動するための回路であり、入力されたビデオ信号に応じて半導体レーザ７０３から発射されるレーザ光７０４をオン・オフ切り替えする。レーザ光７０４は回転多面鏡７０５で左右方向に振らされて静電ドラム７０６上を走査露光する。これにより、静電ドラム７０６上には文字パターンの静電潜像が形成されることになる。この潜像は、静電ドラム７０６周囲に配置された現像ユニット７０７により現像された後、記録紙に転写される。この記録紙にはカットシートを用い、カットシート記録紙はＬＢＰ本体７４０に装着した用紙カセット７０８に収納され、給紙ローラ７０９より搬送ローラ７１０と搬送ローラ７１１とにより、装置内に取り込まれて、静電ドラム７０６に供給される。そして、現像器７０７によって静電ドラム７０６上に付着されたトナー像は、搬送されてきた記録紙に転写される。その後、記録紙は定着器７１２方向に搬送され、トナーが定着され、最終的に排紙ローラ７１３によって外部に導かれて外部に排紙される。なお、上記現像器７０７や静電ドラム７０６等は例えばＣ（シアン）Ｍ（マゼンダ）Ｙ（イエロウ）Ｋ（ブラック）の色素ごとに処理を行いカラー印刷が可能となるように構成されている。
【００２９】
以下、一実施例として、図３の処理の概略を示す流れ図について説明した後、その他の図面を参照して各処理手順の概略について詳細に説明する。
【００３０】
まず、図３上のＩＣカードリーダライター付きＰＣから、ネットワークを介してＭＦＰのキャッシングシミュレーションサーバにアクセスし、所望のＩＣカードリーダライター付きＭＦＰ用のキャッシングシミュレーションプログラムを選択、実行して各種パラメータ設定を行う（１）。そして、その設定結果データをネットワーク上のユーザのホームページ上に格納した後（２）、そのホームページのＵＲＬアドレスをＩＣカードに書き込む（３）。
【００３１】
そして、ＭＦＰを使用してその利用料金の支払いに際して、各課金サーバからの料金請求に対して（６）、ＩＣカードリーダライター付きＭＦＰに読み込ませたＩＣカード上のＵＲＬアドレスデータから（４）、そのＵＲＬアドレスが示すホームページにアクセスしてユーザ設定のキャッシング用データを読み込み（５）、上記各料金請求に対応してキャッシング処理を行う。
【００３２】
以下、上記の処理手順の概略説明について、図１〜図１８の参照図面と図１９、図２０のフローチャートを参照して詳細に説明する。
【００３３】
まず、図３上のＩＣカードリーダライター付きＰＣ上でＷｅｂブラウザを起動し、図４に示すブックマークメニューの中から、本実施例のＭＦＰを指すＡ社製ＭＦＰ２００２Ａ１のブックマークを選択する。
【００３４】
すると、ＭＦＰのキャッシングシミュレーションサーバにアクセスし、サーバ上の本実施例のＭＦＰであるＡ社製ＭＦＰ２００２Ａ１のキャッシングシミュレーションプログラムを起動する。そして、本プログラムの処理のフローチャートを示す図１９のステップＳ１を実行するので、図５に示される機能選択メニュー画面表示を行う。
【００３５】
ここで“ダウンロード印刷”を選択した後“選択”表示を選択すると、図１９のステップＳ１からステップＳ２、ステップＳ３と制御が移行するので、図６に示すようなダウンロード印刷指定用画面表示が行われる。
【００３６】
そして、図６に示されているようにＵＲＬアドレスを入力した後“選択”表示を選択すると、図１９のフローチャートのステップＳ３からステップＳ４移行する。
【００３７】
ここで、ステップＳ３で指定されたＵＲＬアドレスが示すＷｅｂサイトに対してダウンロード要求を送信するので、ダウンロード要求されたＷｅｂサイトは課金サーバを起動して、ダウンロード要求された情報に対するダウンロード料金情報を、情報要求元である上記キャッシングシミュレーションプログラムに対して送信する。
【００３８】
この情報を受信したサーバ上のキャッシングシュミレーションプログラムは、ステップＳ５を実行するので、図７に示すような、依頼した情報をダウンロードして印刷する際の料金支払い方法の選択／指定用画面データを作成して、キャッシングシュミレーションプログラムを起動したＰＣに送信する。
【００３９】
本実施例では、印刷代金を仮に２０円、情報料金を課金サーバから受信した情報を元に２０００円とし、支払方法をユーザが指定できる場合を想定して選択メニュー画面を用意している。
【００４０】
この図７の表示をユーザ端末上に行っている際、“引き落とし”表示を選択すると、図８に示す表示画面データがサーバよりクライアントＰＣに送信される。
【００４１】
そこで、クライアントＰＣ側で図９に示すデータを入力後“本画面記憶”表示を選択すると、その信号および入力パラメータデータがサーバプログラムに送信され、図１９のステップＳ５からＳ６に移行するが、サーバプログラムは、送信された入力パラメータデータを格納するユーザホームページアドレスが登録されていないことを検出すると、ステップＳ７に移行し、図１０に示すような登録先ＵＲＬアドレスの指定を要求する為の表示用データをクライアントＰＣに送信して表示する。そして、ＵＲＬアドレスデータを受信すると、それを装着されているＩＣカード上に、例えば図１７に示すフォーマットで格納する。
【００４２】
その後、ステップＳ８に移行し、設定されたユーザのキャッシングパラメータデータが、ＩＣカード上に記憶されているＵＲＬアドレスが示す格納領域に、例えば図１８に示すようなフォーマットで格納される。
【００４３】
次に、図３のＩＣカードリーダライタ付きＭＦＰの操作時における本発明の動作説明を以下に示す。
【００４４】
まず、ＭＦＰの初期表示画面は、図２０のステップＳ２０を実行するので、図１１に示すものとなる。
【００４５】
そして、ここで“ダウンロード印刷”表示を選択して“選択”表示を選択すると、図２０においてステップＳ２０からステップＳ２１、ステップＳ２４に移行しダウンロード印刷ファイルの指定用画面を表示するので、図１２に示すような入力を行い“選択”を選択すると、ステップＳ２５に移行しダウンロード印刷ファイルの格納サイトにファイルのダウンロード要求データを送信する。そして、そのサイトからのダウンロード料金情報の受信待機となる。
【００４６】
そして、ステップＳ２６に移行しサイトからダウンロード料金情報を受信すると、図１３に示すように情報料金データと印刷料金情報を表示して指令待機となる。
【００４７】
ここで、“ＩＣカードから呼び出す”を選択するとステップＳ２７、Ｓ２８と移行し、上記のキャッシングシュミレーションプログラムの実行で設定、記憶したＩＣカード内のキャッシング情報を読み出してパラメータを設定するので、図１４に示すように、銀行引き落としの口座の表示を行う。
【００４８】
その後、“選択”を選択するとステップＳ２９に移行して、上記指定引き落とし銀行とコミュニケーションを行い図１５に示すように、パスワード入力用の画面表示を行う。そこで、パスワードを入力すると、その情報を上記引き落とし銀行に送信し、料金引き落とし処理を依頼する。そして、ステップＳ３１に移行して、ダウンロードされたファイルの印刷を実行する。
【００４９】
（他の実施例１）
上述した第１の実施例において、ＭＦＰの各種設定パラメータデータを格納したファイルは、ＩＣカード上に記憶された、ネット上のＵＲＬアドレスで示されるユーザホームページ上の記憶領域に格納されたり、呼び出される例について説明したが、本発明はこれに限られるものではなく、ＩＣカード上に上記ネット上に格納されるべきパラメータデータ群そのものを格納し、呼び出すことも可能である。
【００５０】
この際の処理としては、図１６のネット上の記憶エリアの記憶フォーマットが、図１８のＩＣカード上の記憶フォーマットに変わるところと、アクセス手順が、ＩＣカードから読み込んだＵＲＬアドレスデータが示すネット上の記憶領域にアクセスするのではなく、ＩＣカード上のデータに直接アクセスして、各種パラメータデータを読み込むところが異なるだけで、他の処理は変わらないものとなる。
【００５１】
（他の実施例２）
上述した第１の実施例においては、第１図示の印刷装置の動作制御は、図１の１０４、３０３の読み出し専用メモリＲＯＭ内の制御プログラムによって実行されているが、本発明はこれに限られるものではなく、外部記憶装置に格納されている制御プログラムを内蔵ＲＡＭ上に転送して実行することも可能である。
【００５２】
以下本発明の他の実施例として、図２に示すメモリマップを参照して本発明に係る印刷制御装置を適用可能な印刷システムで読み出し可能なデータ処理プログラムの構成について説明する。
【００５３】
図２は本発明に係る印刷制御装置を適用可能な印刷システムで読み出し可能な各種データ処理プログラムを格納する記憶媒体のメモリマップを説明する図である。
【００５４】
なお、特に図示しないが、記憶媒体に記憶されるプログラム群を管理する情報、例えばバージョン情報、作成者等も記憶され、かつ、プログラム読み出し側のＯＳに依存する情報、例えばプログラムを識別表示するアイコン等も記憶される場合もある。
【００５５】
さらに、各種プログラムに従属するデータも上記ディレクトリに管理されている。また、各種プログラムをコンピュータにインストールするプログラムが圧縮されている場合に、解凍するプログラムも記憶される場合もある。
【００５６】
以上のように、前述した実施例の機能を実現するソフトウェアのプログラムコードを記録した記憶媒体を、システムに供給し、そのシステムが記憶媒体に格納されたプログラムコードを読み出し実行することによっても、本発明の目的が達成されることは言うまでもない。
【００５７】
この場合、記憶媒体から読み出されたプログラムコード自体が本発明の新規な機能を実現することになり、そのプログラムコードを記憶した記憶媒体は本発明を構成することになる。
【００５８】
プログラムコードを供給するための記憶媒体としては、例えば、フロッピー(登録商標)ディスク、ＭＯ、ＣＤ−ＲＯＭ、ＤＶＤ−ＲＯＭ等を用いることができる。
【図面の簡単な説明】
【００５９】
【図１】本発明の一実施形態を示す多機能複写機の構成を説明するブロック図である。
【図２】本発明に係る多機能複写機で読み出し可能な各種データ処理プログラムを格納する記憶媒体のメモリマップを説明する図である。
【図３】本発明の概略を説明するブロック図である。
【図４】ＩＣカードリーダライタ付きＰＣの表示画面例を示す図である。
【図５】ＩＣカードリーダライタ付きＰＣの表示画面例を示す図である。
【図６】ＩＣカードリーダライタ付きＰＣの表示画面例を示す図である。
【図７】ＩＣカードリーダライタ付きＰＣの表示画面例を示す図である。
【図８】ＩＣカードリーダライタ付きＰＣの表示画面例を示す図である。
【図９】ＩＣカードリーダライタ付きＰＣの表示画面例を示す図である。
【図１０】ＩＣカードリーダライタ付きＰＣの表示画面例を示す図である。
【図１１】ＩＣカードリーダライタ付きＰＣの表示画面例を示す図である。
【図１２】ＩＣカードリーダライタ付きＭＦＰの表示画面例を示す図である。
【図１３】ＩＣカードリーダライタ付きＭＦＰの表示画面例を示す図である。
【図１４】ＩＣカードリーダライタ付きＭＦＰの表示画面例を示す図である。
【図１５】ＩＣカードリーダライタ付きＭＦＰの表示画面例を示す図である。
【図１６】サーバ内のユーザホームページ上にユーザ環境設定ファイルが格納されている一例を示す図である。
【図１７】ＩＣカード上に記録されているＵＲＬアドレスデータの記憶フォーマットの一例を示す図である。
【図１８】ＩＣカード内に格納されているユーザ環境設定ファイルの一例を示す図である。
【図１９】本実施の形態に係る印刷システムの動作の流れを示すＭＦＰのキャッシングシュミレーションサーバの処理フローチャートである。
【図２０】本実施の形態に係る印刷システムの動作の流れを示すＭＦＰのキャッシング処理を含むＵＩＦのフローチャートである。
【図２１】図１に示す印刷システムにおける印刷装置本体の縦断面図である。
【符号の説明】
【００６０】
１０２  通信制御コントローラ
１０３  ＣＰＵ
１０４  ＯＳ／各種制御ソフト内臓ＲＯＭ
１０５  ＲＡＭ
１０６  スキャナコントローラ
１０７  タッチパネルキーボードコントローラ
１０８  ＩＣカード読み取り装置用コントローラ
１０９  プリンタコントローラ
１１０    システムバス
１１１  スキャナ装置
１１２  タッチパネルキーボード
１１３  ＩＣカード読み取り書き込み装置
２００  内部接続ケーブル
３０１  ＣＰＵ
３０２  ＲＡＭ
３０３  プログラムＲＯＭ
３０４  入力バッファ
３０５  ページメモリ
３０６  エンジンインターフェイス
３０７  印刷装置本体
【図１】
2005280155.tif 000003
【図２】
2005280155.tif 000004
【図３】
2005280155.tif 000005
【図４】
2005280155.tif 000006
【図５】
2005280155.tif 000007
【図６】
2005280155.tif 000008
【図７】
2005280155.tif 000009
【図８】
2005280155.tif 000010
【図９】
2005280155.tif 000011
【図１０】
2005280155.tif 000012
【図１１】
2005280155.tif 000013
【図１２】
2005280155.tif 000014
【図１３】
2005280155.tif 000015
【図１４】
2005280155.tif 000016
【図１５】
2005280155.tif 000017
【図１６】
2005280155.tif 000018
【図１７】
2005280155.tif 000019
【図１８】
2005280155.tif 000020
【図１９】
2005280155.tif 000021
【図２０】
2005280155.tif 000022
【図２１】
2005280155.tif 000023